(57)【特許請求の範囲】
【請求項１】
誘電体部材と、
前記誘電体部材を透過する電波ビームを放射し、被検知体からの反射波を受信し、検知信号を生成する高周波センサと、
前記検知信号により動作する駆動機構部と、
を備え、
前記誘電体部材の表面を含む平面と、前記電波ビームを放射するアンテナの放射面を含む平面と、は、ゼロよりも大きく９０度よりも小さい角度をなして交差線上で交差し、
前記電波ビームは、直線偏波され、
前記誘電体部材を透過する前記電波ビームの強度が、前記表面で反射する前記電波ビームの強度よりも高くなるように、前記電波ビームの励振方向と前記交差線とのなす角度を設定してなることを特徴とする駆動装置。
【請求項２】
前記励振方向は、前記交差線と略直交することを特徴とする請求項１記載の駆動装置。
【発明の詳細な説明】
【技術分野】
【０００１】
本発明は、高周波センサを備えた駆動装置に関する。
【背景技術】
【０００２】
高周波センサにより人体などを精度よく検知すると、機器を機械的または電気的に制御する駆動装置が可能となる。このような駆動装置として、例えば、自動ドア、水栓装置、照明装置などがある。
【０００３】
パッチアンテナからマイクロ波を放射する高周波センサを用いると、センサの小型化が容易となる。この場合、１０．５２５及び２４．１５ＧＨｚ帯の周波数を使用し、電波法に適合させるためにスプリアス発射強度を規制値以下に抑える必要がある。すなわち、電波ビームの方向を精度よく制御し、低放射電力においても人体を検知することが要求される。
【０００４】
パッチ電極からなるアンテナを用いた高周波センサに関する技術開示例がある（特許文献１）。この開示例では、無給電素子が基板内のスルーホール式の制御線を通じて基板の背面上に設けられた高周波スイッチに接続され、電波ビームの放射方向を切替えるマイクロストリップアンテナ及びこれを用いた高周波センサが提供される。
【特許文献１】国際公開番号ＷＯ２００６／０３５８８１Ａ１号
【発明の開示】
【発明が解決しようとする課題】
【０００５】
駆動装置において、電波法の規制を満たしつつ人体を精度よく検知するには、電波ビームの方向を精度よく制御することが必要である。しかしながら、パッチ電極の間の配置や位相を制御するだけで電波ビームの方向を変えるには限界がある。パッチアンテナの放射面と誘電体部材表面との交差角を変えて傾きを調整できると電波ビームの方向を変えることが容易となる。この場合、励振方向を適正に選択しないと誘電体中の透過率が低下し、被検知体側に高い透過率で電波ビームが透過しない問題を生じる。本発明は、この問題に鑑みてなされたものであり、誘電体中の透過率が高められ、被検知体に向けて精度よく電波ビームが放射される高周波センサを備えた駆動装置を提供することを目的とする。
【課題を解決するための手段】
【０００６】
本発明の一態様によれば、誘電体部材と、前記誘電体部材を透過する電波ビームを放射し、被検知体からの反射波を受信し、検知信号を生成する高周波センサと、前記検知信号により動作する駆動機構部と、を備え、前記誘電体部材の表面を含む平面と、前記電波ビームを放射するアンテナの放射面を含む平面と、は、ゼロよりも大きく９０度よりも小さい角度をなして交差線上で交差し、前記電波ビームは、直線偏波され、前記誘電体部材を透過する前記電波ビームの強度が、前記表面で反射する前記電波ビームの強度よりも高くなるように、前記電波ビームの励振方向と前記交差線とのなす角度を設定してなることを特徴とする駆動装置が提供される。
【発明の効果】
【０００７】
誘電体中の透過率が高められ、被検知体に向けて精度よく電波ビームが放射される高周波センサを備えた駆動装置が提供される。
【発明を実施するための最良の形態】
【０００８】
以下、図面を参照しつつ本発明の実施の形態について説明する。  
図１は、本発明の実施形態にかかる駆動装置を説明する図である。図１（ａ）はそのブロック図である。駆動装置１０は、高周波センサ３０と、機器部１４と、制御部１２と、を備えている。高周波センサ３０は人体などの被検知体に向けて電波ビーム３３を放射し、被検知体からの反射波を受信して、ドップラー周波数信号を生成し制御部１２へ検知信号を出力する。
【０００９】
制御部１２は、必要に応じて高周波センサ３０に制御信号を出力し、高周波センサ３０からのドップラー信号をもとに、機器部１４に向かって、例えばオン、オフ信号を出力する。機器部１４は、高周波センサ３０が配設される誘電体部材１６と、駆動機構部１８とを含み、オン−オフ信号に基づいて駆動機構部１８を動作させる。
【００１０】
図１（ｂ）は駆動装置１０が水栓装置である場合を説明する模式図である。水栓装置において、受水部は誘電体部材１６からなり、駆動機構部１８は吐水口を有する配管のバルブである。高周波センサ３０が手または水流の速度を検知し、そのドップラー周波数信号により、バルブが開閉される。
【００１１】
図１（ｃ）は駆動装置１０が自動ドアである場合を説明する模式図である。自動ドアにおいて、誘電体部材１６は、例えば高周波センサ３０を直接見えないように配設するための支持板であり、駆動機構部１８はドア４０を開閉するための回転またはスライド機構である。高周波センサ３０が人体などを検知し、そのドップラー周波数信号により、自動ドアを回転またはスライドにより開閉制御する。
【００１２】
このように高周波センサ３０は誘電体部材１６に固定されるが、例えば受水部には、陶器、セラミックなど誘電率が高い材料（比誘電率：εｒ）が用いられることが多い。この場合、誘電体部材１６の主面１６ａと高周波センサ３０のアンテナの放射面との交差角αを適正な角度として傾け、電波ビーム３３を被検知体の方向に放射すると、被検知体を精度よく検知できる。
【００１３】
図２は、本実施形態にかかる駆動装置の高周波センサの配置を説明する図であり、図２（ａ）は模式斜視図、図２（ｂ）はパッチアンテナの模式平面図、図２（ｃ）は電波ビームを表す図である。  
セラミック、陶器、樹脂などの誘電体部材１６の主面１６ａの上方に、高周波センサ３０が配置される。主面１６ａと、パッチアンテナ３２の放射面３２ａと、の交差角がαであるように高周波センサ３０が配置される。パッチアンテナ３２から放射された電波ビーム３３は、誘電体部材１６の主面１６ａにおいて透過ビームと反射ビームを生じる。そして、本実施形態においては、誘電体部材１６を透過する電波ビームの強度が、誘電体部材１６の表面で反射する電波ビームの強度よりも高くなるように、電波ビームの励振方向がパッチアンテナ３２の放射面３２ａと誘電体部材１６の表面との交差線と交差している。
【００１４】
図２（ｂ）に表すように、Ａ−Ａ線及びＢ−Ｂ線の両側に４つの給電素子３２ｃが配置される。Ａ−Ａ線と、直交するＢ−Ｂ線との交点はパッチアンテナ３２の略中心点３６であり電波ビーム３３の放射の中心である。給電点３５は発振器と接続され、電波ビーム３３が励振される。電波ビーム３３の励振方向は矢印で表すようにＡ−Ａ線に沿って略平行で、かつ放射面３２ａ上にある。このようなパッチアンテナ３２を用いると、直線偏波の励振が容易にできる。
【００１５】
また、図２（ｃ）のように空間的に広がった電波ビーム３３の放射パターンは、４つの給電素子３２ｃの配置などを変化させることにより制御できる。図２（ａ）において、放射面３２ａに垂直であり中心点３６を通り、主面１６ａと直交する面を入射面４０と呼ぶことにする。中心点３６近傍から放射された電波ビーム３３は、誘電体部材１６の主面１６ａを透過面として誘電体部材１６の媒質内への透過ビームと、主面１６ａを反射面とする反射ビームとを生じる。
【００１６】
なお、図２（ｂ）では、４つの給電素子３２ｃにより電波ビーム３３の放射パターンを制御している。しかし、パッチアンテナ３２の構成はこれに限定されない。
【００１７】
次に、誘電体部材１６をεｒ＝４．１５である陶器とした場合について、放射面３２ａと主面１６ａとの交差角αにより放射パターンが変化することをシミュレーションを用いて説明する。なお、比較例として、励振方向が主面１６ａに平行かつ入射面４０と直交する場合を示す。  
図３は、比較例にかかる駆動装置の高周波センサを表し、図３（ａ）は誘電体部材１６との交差角がαとなるように高周波センサが配設されている模式斜視図、図３（ｂ）はパッチアンテナ３２の模式平面図である。なお、シミュレーションの周波数は１０．５２５ＧＨｚである。
【００１８】
以下のシミュレーションにおいて励振方向は、放射面３２ａを含む平面と主面１６ａとの交差線１７との交差角βは略９０度である。なお、放射面３２ａが主面１６ａと直接接触しなくともよい。図４（ａ）は、放射面３２ａが直接には主面１６ａとは交差せず、放射面３２ａを含む平面と主面１６ａとが交差する断面を表す。図４（ｂ）は、放射面３２ａを含む平面と、主面１６ａを含む平面とが、放射面３２ａ及び主面１６ａと離間した交差線上で交差する断面を表す。
【００１９】
また、βが９０度でない場合においても、交差線１７との直交成分に対してはシミュレーションの結果を適用できる。入射面４０内の電波ビーム３３は、入射ビーム４２と、透過ビーム４４と、反射ビーム４６とを含む。入射ビーム４２は、空気と誘電体部材１６との誘電率の違いにより屈折して透過ビーム４４となる成分と、主面１６ａで反射する反射ビーム４６となる成分とに分かれる。
【００２０】
図５は、α＝０、すなわち放射面３２ａと主面１６ａとが傾かず平行である場合におけるシミュレーションによる入射面４０内の放射パターン断面図を表し、図５（ａ）は入射励振方向と入射面４０とが略平行な場合、図５（ｂ）は励振方向と入射面４０とが略直交する場合である。図５に表す曲線は電波ビーム３３が等しい強度となる点を結んで得られ、外側の曲線ほど放射強度が弱い。いずれの場合にも電波ビーム３３は誘電体部材１６をよく透過し、透過電力に大きな差を生じない。
【００２１】
しかしながら、被検知体が常にこの位置に存在するとは限らず、放射面３２ａを主面１６ａに対して傾けた方が電波ビーム３３を被検知体に向けて効率よく放射できる。 
図６は、α＝３０°におけるシミュレーションによる入射面４０内の放射パターンの断面図を表し、図６（ａ）は励振方向と入射面４０とが略平行な場合、図６（ｂ）は励振方向と入射面４０とが略直交する場合を表す。図６（ａ）透過率は、図６（ｂ）の透過率よりも高い。また、図６（ｂ）においては誘電体部材１６による反射率が高いことを表している。
【００２２】
図７は、α＝４５°におけるシミュレーションによる入射面４０内の放射パターンの断面図を表し、図７（ａ）は励振方向と入射面４０とが略平行な場合、図７（ｂ）は励振方向と入射面４０とが略直交する場合を表す。α＝３０°と比べて、透過率はいずれも低下する。特に、図７（ｂ）においては、反射率がより高くなり透過ビーム４４の強度が図７（ａ）よりも低下し、検知感度が低下する。
図８は、α＝６０°におけるシミュレーションによる入射面４０内の放射パターンの断面図を表し、図８（ａ）は励振方向が入射面４０と略平行な場合、図８（ｂ）は励振方向が入射面４０と略直交する場合を表す。それぞれの透過率はα＝４５°よりもさらに低下する。特に、図８（ｂ）において透過ビーム４４は殆ど存在せず、被検知体の検出が困難である。一般に誘電体部材１６は駆動装置により取り付け場所が予め決定される。駆動装置において、交差角αを適正に選択することにより被検知体に対して精度よく電波ビーム３３を向けることができる。
【００２３】
すなわち、図６〜図８は、放射面３２ａが主面１６ａに対して交差角α（０°＜α＜９０°）をなしかつ励振方向が入射面４０に対して略平行な場合、励振方向が入射面４０に対して略直交する場合よりも誘電体部材１６を透過しやすいことを表している。
【００２４】
図９は、電波ビーム３３の励振方向と交差線１７とのなす角度βを変えた場合、入射面４０内の放射パターンの断面図である。アンテナの放射面３２ａを含む平面と、誘電体部材１６の表面１６ａを含む平面とのなす角度αを４５度とし、図９（ａ）はβ＝８０°、図９（ｂ）はβ＝７５°、図９（ｃ）はβ＝６０°、図９（ｄ）はβ＝５５°、図９（ｅ）はβ＝５０°、図９（ｆ）はβ＝４５°の場合をそれぞれ表す。
【００２５】
誘電体部材１６を透過するビーム４４はβが９０度において最大であり、βの減少とともに強度が低下する。他方、表面１６ａでの反射ビーム４６（破線）はβの減少とともに強度が高まる。この解析結果から、βが５５度以下では反射ビーム４６の強度が透過ビーム４４の強度よりも高くなることが分かる。本実施形態において、透過ビーム４４の強度が反射ビーム４６の強度よりも高くなるように、励振方向と交差線１７とのなす角度βを設定し、被検知体に向けて電波ビーム３３の透過率を高めることができる。このようにすると、低出力の電波ビーム３３での検知が容易になる。
【００２６】
例えば、公衆トイレなどで、複数の小便器が連立している場合、それぞれの小便器の背面側に高周波センサを取り付ける必要がある。この場合、高周波センサから放射された電波が陶器製の小便器の背面で反射されると、隣接する他の高周波センサに影響を与え、電波の干渉などによる誤検知が生ずる場合もあり得る。
【００２７】
これに対して、本実施形態によれば、高周波センサの電波放射面を誘電体の表面に対して傾斜させ、且つ電波の励振方向を調整することにより、誘電体表面での電波の反射を抑制することができる。その結果として、便器の前にいる使用者などを確実に検知でき、且つ、反射される電波ビームに起因する誤検知なども防止できる。
【００２８】
図１０は、励振方向と入射面４０とが略直交する場合における放射パターンの比誘電率依存性を表す図である。図１０（ａ）はεｒ＝２の樹脂、図１０（ｂ）はεｒ＝４．１５の陶器、図１０（ｃ）はεｒ＝１０のセラミックをそれぞれ誘電体部材１６の材料とした場合のシミュレーションによる放射パターンである。  
いずれの場合もα＝６０°である。εｒが高い程、透過率が低いことが理解される。 図１０から、εｒが４．１５よりも高い誘電体部材とし、α＝６０°とすると、電波ビームの透過が困難であり、駆動装置に用いることが難しい。
【００２９】
本実施形態においては、放射面３２ａを主面１６ａに対して交差角α（０＜α＜９０°）とし、透過ビーム４４の方向を被検知体の方向に正しく向けることが容易となる。さらに、透過ビーム４４の強度が反射ビーム４６の強度よりも高くなるように、誘電体の主面１６ａと放射面３２ａとの交差線１７と、励振方向とを交差角βで交差させることができる。このために、低出力の電波ビーム３３により、外乱の影響が低減され、精度よく被検知体を検出できる駆動装置が可能となる。この駆動装置は、水栓装置、自動ドア装置、照明装置、小便器装置などに応用できる。
【００３０】
以上、図面を参照しつつ、本発明の実施の形態について説明した。しかし、本発明はこれら実施形態に限定されず、駆動装置を構成する誘電体部材、アンテナ、パッチアンテナ、高周波センサ、駆動機構部、などのサイズ、形状、材質、配置関係などに関して当業者が設計変更を行ったものであっても、本発明の主旨を逸脱しない限り本発明の範囲に包含される。
【図面の簡単な説明】
【００３１】
【図１】実施形態にかかる駆動装置を説明する図
【図２】励振方向と入射面とが略平行な場合の高周波センサの配置を説明する図
【図３】励振方向と入射面とが略直交する場合の高周波センサの配置を説明する図
【図４】放射面が主面と直接には接触しない場合の模式断面図
【図５】α＝０の場合のシミュレーションによる放射パターンの断面図
【図６】シミュレーションによる放射パターンの断面図
【図７】シミュレーションによる放射パターンの断面図
【図８】シミュレーションによる放射パターンの断面図
【図９】シミュレーションによる放射パターンの断面図
【図１０】放射パターンの比誘電率依存性を表す図
【符号の説明】
【００３２】
１０  駆動装置、１２  制御部、１６  誘電体部材、１６ａ  主面、１７  交差線、１８  駆動機構部、３０高周波センサ、３２  パッチアンテナ、３２ａ  放射面、３３  電波ビーム
【図１】
0004525944.tif 000002
【図４】
0004525944.tif 000003
【図２】
0004525944.tif 000004
【図３】
0004525944.tif 000005
【図５】
0004525944.tif 000006
【図６】
0004525944.tif 000007
【図７】
0004525944.tif 000008
【図８】
0004525944.tif 000009
【図９】
0004525944.tif 000010
【図１０】
0004525944.tif 000011